(57)【特許請求の範囲】
【請求項１】
床面に設置される下架台と、
前記下架台の上に設けられていて、被支持物体を支持する上架台と、
前記上架台と前記下架台との間に設けられていて、前記上架台を前記下架台に対して前記床面と平行な方向に移動可能に支持する免震部材と、
前記下架台と前記上架台の高さ方向を長手方向とする棒状の固定部と、
前記固定部を、前記高さ方向において前記下架台と前記上架台とが連結されている第１位置と前記下架台と前記上架台とが連結されていない第２位置との間で手動操作によって移動可能に保持している保持部と、
前記下架台と前記上架台に設けられていて、前記固定部が前記第１位置にあるときに前記固定部を係止する係止部と、
を有し、
前記保持部は、内部に前記固定部を一方向に付勢する動作補助部材を有し、
前記固定部の前記第１位置は、前記動作補助部材の付勢力による移動位置である免震装置。
【請求項２】
前記固定部と前記保持部とが前記免震部材に設けられている、
請求項１記載の免震装置。
【請求項３】
前記固定部は、前記固定部を操作するための操作部を備え、
前記保持部は、前記操作部の動作を案内するガイド部を備える、
請求項１または２記載の免震装置。
【請求項４】
前記操作部は、前記固定部に設けられている棒状の部材であり、
前記ガイド部は、前記固定部を前記第１位置または前記第２位置で固定する、
請求項３記載の免震装置。
【請求項５】
少なくとも前記固定部の側面を覆うカバー部を有し、
前記固定部が前記第１位置に位置しているときには、前記操作部が前記カバー部に当接する、
請求項３または４記載の免震装置。
【請求項６】
前記カバー部は、前記免震装置の側面を覆う、
請求項５記載の免震装置。
【発明の詳細な説明】
【技術分野】
【０００１】
本発明は、免震装置に関するものである。
【背景技術】
【０００２】
博物館や美術館などの展示物が地震などの振動により破損してしまうのを防止するために、載置されている展示物に伝わる振動エネルギーを減衰する免震機能を有する展示台（以下「免震装置」という。）が知られている。免震装置は、床面に配置される下架台と、下架台の上で展示物を支持している上架台と、上架台と下架台との間で下架台から上架台へ伝達される振動を減衰する免震部材とを有している。
【０００３】
免震装置は、載置されている展示物の入れ替えを行う際や免震装置を移動させる際などには、上架台が動作しないように固定する必要がある。免震装置の上架台と下架台とを固定する技術として、ボルトで上架台と下架台とを固定するものが開示されている（例えば、特許文献１参照）。
【０００４】
特許文献１に開示された従来の技術では、免震装置の上架台と下架台との動きを固定することができるが、ボルトを用いるため固定作業が煩雑である。また、従来の技術では、免震装置の使用時にはボルトを外す必要があるため、外したボルトを紛失するおそれがある。また、従来の技術では、ボルトで上架台と下架台とを固定したままにしてしまい、免震装置の免震機能を阻害してしまうおそれもある。
【０００５】
【先行技術文献】
【特許文献】
【０００６】
【特許文献１】特開２００２−７０９３６号公報
【発明の概要】
【発明が解決しようとする課題】
【０００７】
本発明は、免震装置の動作を容易に固定することができる免震装置を提供することを目的とする。
【課題を解決するための手段】
【０００８】
本発明に係る免震装置は、
床面に設置される下架台と、
前記下架台の上に設けられていて、被支持物体を支持する上架台と、
前記上架台と前記下架台との間に設けられていて、前記上架台を前記下架台に対して前記床面と平行な方向に移動可能に支持する免震部材と、
前記下架台と前記上架台の高さ方向を長手方向とする棒状の固定部と、
前記固定部を、前記高さ方向において前記下架台と前記上架台とが連結されている第１位置と前記下架台と前記上架台とが連結されていない第２位置との間で手動操作によって移動可能に保持している保持部と、
前記下架台と前記上架台に設けられていて、前記固定部が前記第１位置にあるときに前記固定部を係止する係止部と、
を有し、
前記保持部は、内部に前記固定部を一方向に付勢する動作補助部材を有し、
前記固定部の前記第１位置は、前記動作補助部材の付勢力による移動位置であることを特徴とする。
【発明の効果】
【０００９】
本発明によれば、免震装置の動作を容易に固定することができる。
【図面の簡単な説明】
【００１０】
【図１】本発明に係る免震装置の実施の形態を示す斜視図である。
【図２】図１の免震装置と展示ケースの正面図である。
【図３】図１の免震装置の固定部のロック解除状態を示す正面図である。
【図４】図１の免震装置の固定部のロック状態を示す正面図である。
【図５】固定部のロック解除状態を示す正面図である。
【図６】固定部のロック状態を示す正面図である。
【図７】固定部のロック解除状態を示す左側面図である。
【図８】固定部のロック解除状態を示す右側面図である。
【図９】固定部のロック解除状態を示す平面図である。
【図１０】固定部のロック状態を示す左側面図である。
【図１１】固定部のロック状態を示す右側面図である。
【図１２】固定部のロック状態を示す平面図である。
【図１３】図１の免震装置にカバー部材を取りつけた状態を示す斜視図である。
【図１４】図１の免震装置において固定部のロック状態を示す平面図である。
【発明を実施するための形態】
【００１１】
以下、本発明に係る免震装置の実施の形態について、図面を参照しながら説明する。
【００１２】
●免震装置の構成
図１に示すように、本実施の形態に係る免震装置１０は、下架台１と、上架台２と、免震部材３と、固定部組立体４とを有する。下架台１は、床面に設置されて免震装置１０を支持する。上架台２は、下架台１の上（高さ方向）に重ねられて設けられている。上架台２は、図２に示すように、天板２２で展示ケース２０や展示物などの被支持物体を支持する。免震部材３は、上架台２と下架台１との間に設けられていて、上架台２を床面に平行な方向に移動可能に支持することで下架台１から上架台２へ伝達される振動を減衰する。
【００１３】
固定部組立体４は、第１固定部４１と第２固定部４２と保持部４４，４５とを備え、免震部材３に設けられている。第１固定部４１は、下架台１と免震部材３を連結させる。第２固定部４２は、上架台２と免震部材３を連結させる。その結果、第１固定部４１と第２固定部４２は、免震部材３を介して上架台２と下架台１とを固定する。
【００１４】
以下の説明において、第１固定部４１と第２固定部４２により上架台２が下架台１に連結されている状態を、ロック状態という。また、以下の説明において、第１固定部４１と第２固定部４２により上架台２が下架台１に連結されていない状態を、ロック解除状態という。保持部４４，４５は、第１固定部４１と第２固定部４２を、高さ方向における位置がロック状態の位置（第１位置）とロック解除状態の位置（第２位置）との間で移動可能となるように保持している。
【００１５】
●下架台の構成
図３に示すように、下架台１は、床面に設置されて免震装置１０を支持する。下架台１は、レール１１と、脚部１２と、ストッパ１３と、下架台係止部１４とを有する。
【００１６】
レール１１には、免震部材３に設けられている車輪３１が載せられている。レール１１は、車輪３１の回転方向、つまり下架台１に対する免震部材３の移動方向を案内する。脚部１２は、免震装置１０が設置される床面と接してレール１１を支持する。脚部１２は、レール１１に取り付けられている脚部本体１２１と、脚部本体１２１に設けられていて床面に接するアジャスタ１２２とを有する。アジャスタ１２２は、脚部本体１２１に接続する部分が雄ねじになっていて、脚部本体１２１へのねじ込み度合いにより脚部１２の長さを変更することができる。
【００１７】
ストッパ１３は、下架台係止部１４に接触して免震部材３の床面に平行な方向への移動範囲を定める。下架台係止部１４は、第１固定部４１の形状に対応した形状を有する。下架台係止部１４は、第１固定部４１の先端を収容することで下架台１と免震部材３とを固定する。下架台係止部１４は、図４に示すように第１位置で第１固定部４１を係止させることができる。
【００１８】
●上架台の構成
上架台２は、下架台１の上に重ねられて被支持物体を支持する。上架台２は、レール２１と、天板２２と、ストッパ２３と、上架台係止部２４と、原点復帰部２５とを有する。
【００１９】
レール２１は、免震部材３に設けられている車輪３２の上に載せられている。レール２１は、車輪３２の回転方向、つまり上架台２に対する免震部材３の移動方向を案内する。レール２１は、下架台１の車輪３１を案内するレール１１の長さ方向と直交する方向が長さ方向になる。レール２１は、免震部材３を介して上架台２を下架台１に支持させる。
【００２０】
天板２２は、その天面で被支持物体を支持する。ストッパ２３は、免震部材３のストッパ３４に接触して免震部材３の床面に平行な方向への移動範囲を定める。上架台係止部２４は、第２固定部４２の形状に対応した形状を有する。上架台係止部２４は、第２固定部４２の先端を収容することで上架台２と免震部材３とを固定する。上架台係止部２４は、第１位置で第２固定部４２を係止させることができる。
【００２１】
●免震部材の構成
免震部材３は、上架台２と下架台１との間に設けられていて、上架台２を床面に平行な方向に移動可能に支持して下架台１から上架台２へ伝達される振動を減衰する。免震部材３は、下架台１のレール１１に接触する車輪３１と、上架台２のレール２１に接触する車輪３２と、車輪３１と車輪３２を支持する車台部３３と、上架台２のストッパ２３に接触するストッパ３４とを備える。
【００２２】
車輪３１と車輪３２は、レール１１とレール２１に沿って、それぞれ複数配置される。車輪３１と車輪３２のぞれぞれは、車軸によって支持されている。なお車輪３１と車輪３２の数は、上架台２を下架台１に対して移動可能に支持することができればよいため、本実施の形態の例には限定されない。車輪３１と車輪３２が床面に沿って互いに直交する方向に配置されているため、免震部材３は、免震装置１０の横方向の揺れを吸収することができる。車台部３３には、固定部組立体４が取り付けられている。
【００２３】
●固定部組立体の構成
図５に示すように、固定部組立体４は、第１固定部４１と、第２固定部４２と、ブラケット４３と、保持部４４，４５とを備える。
【００２４】
第１固定部４１は、免震装置１０の高さ方向を長手方向とする、かんぬきのような棒状の部材である。図６に示すように、第１固定部４１は、免震部材３から先端を突出させて、先端の位置を第２位置から第１位置に移動させることができる。第１固定部４１は、先端を下架台１に設けられている下架台係止部１４に係止させることで下架台１と免震部材３とをロック状態にすることができる。
【００２５】
第２固定部４２も第１固定部４１と同様に、免震装置１０の高さ方向を長手方向とする、かんぬきのような棒状の部材である。第２固定部４２は、免震部材３から先端を突出させて、先端の位置を第２位置から第１位置に移動させることができる。第２固定部４２は、先端を上架台２に設けられている上架台係止部２４に係止させることで上架台２と免震部材３とをロック状態にすることができる。
【００２６】
第１固定部４１と第２固定部４２の側面には、棒状の部材である操作部４１１，４２１が第１固定部４１と第２固定部４２の半径方向外側に突出して設けられている。操作部４１１，４２１は、第１固定部４１または第２固定部４２を操作して上架台２の下架台１へのロック状態の設定と解除を行うためのものである。
【００２７】
ブラケット４３は、第１固定部４１と第２固定部４２と保持部４４，４５とを免震部材３に取り付けるための部材である。
【００２８】
保持部４４，４５は、免震部材３から下架台１または上架台２への方向を長手方向とする筒状の部材である。保持部４４は、内周に第１固定部４１を収容し、収容された第１固定部４１を免震部材３に保持させている。保持部４５は、内周に第２固定部４２を収容し、収容された第２固定部４２を免震部材３に保持させている。
【００２９】
保持部４４，４５は、操作部４１１，４２１の動作を案内するガイド部４６，４７を備える。ガイド部４６，４７は、操作部４１１，４２１を貫通させて操作部４１１，４２１の動作を案内するための略Ｌ字状の孔である。具体的には、ガイド部４６，４７は、第１固定部４１と第２固定部４２が突出する方向を長手方向とする長孔とガイド部４６，４７の周方向を長手方向とする長孔とを組み合わせた形状である。ガイド部４６は、第１固定部４１の突出する方向に対応して、図５の紙面において略Ｌ字状を上下反転させている。
【００３０】
保持部４４，４５の内部には、第１固定部４１と第２固定部４２の動作を補助する動作補助部材４８を有する。動作補助部材４８は、第１固定部４１と第２固定部４２をそれぞれ第２位置から第１位置方向に押さえることができるような弾性部材、例えば圧縮コイルばねなどである。動作補助部材４８は、第１位置と第２位置のいずれにおいても操作部４１１，４２１をガイド部４６，４７に付勢する。このため、動作補助部材４８は、第１固定部４１と第２固定部４２とを第１位置または第２位置に確実に固定することができる。
【００３１】
以上説明した免震装置１０では、第１固定部４１と第２固定部４２とを備える固定部組立体４は、免震部材３の側面に取り付けられているが、本発明において固定部組立体４の取り付け位置はこれに限定されない。例えば、固定部組立体４は、下架台１または上架台２に取り付けられていて、下架台１または上架台２の一方から他方の方向に移動して下架台１と上架台２とを連結するものであってもよい。
【００３２】
●固定部組立体の動作
以上説明した免震装置１０について、固定部組立体４のロック状態（第１位置）とロック解除状態（第２位置）との切り換え動作を説明する。
【００３３】
免震装置１０では、図３と図５とに示したように、通常の使用状態（免震機能を発揮させる状態）のときには、第１固定部４１と第２固定部４２とが第２位置にある。このため、ロック解除状態の免震装置１０では、下架台１と上架台２と免震部材３とが床面に平行な方向に移動可能である。
【００３４】
図７と図８と図９とに示すように、第２位置のときに、操作部４１１，４２１は、ガイド部４６，４７の周方向の長孔の位置にある。図７に示すように、操作部４１１は、ガイド部４６に設けられている溝に掛かって第２位置に止まる。このため、第１固定部４１は、振動などによりロック解除状態からロック状態に移動してしまうことがない。また、図８に示すように、操作部４１２は、ガイド部４７に設けられている溝に掛かって第２位置に止まる。このため、第２固定部４２は、振動などによりロック解除状態からロック状態に移動してしまうことがない。動作補助部材４８は、第１固定部４１と第２固定部４２の中心方向に圧縮されている。
【００３５】
免震装置１０の免震機能を図４と図６とに示したようなロック状態にするには、操作部４１１，４２１をガイド部４６，４７の周方向の長孔に沿って移動させた後、延出方向の長孔に沿って移動させる。このとき、動作補助部材４８は、第１固定部４１と第２固定部４２とが突出する方向に伸びるため、操作者による操作部４１１，４２１の操作を補助する。
【００３６】
図１０と図１１と図１２に示すように、第１固定部４１と第２固定部４２がロック状態のときには、操作部４１１，４２１が免震装置１０の側面から突出する場所に位置する。
【００３７】
図１３に示すように、免震装置１０は、側面を覆い下架台１や上架台２や免震部材３などの内部構造を隠すためのカバー部５を有する。カバー部５は、第１固定部４１と第２固定部４２との側面も覆う。カバー部５は、磁石やアームにより免震装置１０の側面に取り付けられている。
【００３８】
図１４に示すように、上架台２と下架台１が第１固定部４１と第２固定部４２によりロック状態で固定されているときには、操作部４１１，４２１がカバー部５に当接して、カバー部５と上架台２や固定部組立体４などとの間に間隙Ｄが生じる。この間隙Ｄが生じることにより、操作者は、第１固定部４１と第２固定部４２とがロック状態であることを認識することができる。
【００３９】
●実施形態の効果●
以上説明したように、本実施の形態に係る免震装置１０によれば、以下の効果を得ることができる。
【００４０】
免震装置１０では、下架台と上架台の高さ方向を長手方向とする棒状の第１固定部４１と第２固定部４２の高さ方向に対する位置を、保持部４４，４５が第１位置と第２位置との間で移動可能に保持している。このため、免震装置１０によれば、下架台１に対する上架台２の固定状態の切り替え（ロック状態とロック解除状態との切り替え）を容易に行うことができる。
【００４１】
また、免震装置１０によれば、ロック状態とロック解除状態の切り替えを行う際に第１固定部４１や第２固定部４２を免震装置１０から取り外す必要がないため、免震装置１０を固定する部品を紛失するおそれがない。
【００４２】
また、免震装置１０によれば、第１固定部４１と第２固定部４２がロック状態の第１位置にあるときには操作部４１１，４２１がカバー部５に当接するため、免震装置１０がロック状態であることを操作者が知覚しやすい。このため、免震装置１０によれば、第１固定部４１と第２固定部４２により免震装置１０の免震機能を阻害するおそれがない。
【符号の説明】
【００４３】
１     下架台 
２     上架台 
３     免震部材
４     固定部組立体
５     カバー部
１０   免震装置
１１   レール
１２   脚部
１３   ストッパ
１４   下架台係止部
２０   展示ケース
２１   レール
２２   天板
２３   ストッパ
２４   上架台係止部
２５   原点復帰部
３１   車輪
３２   車輪
３３   車台部
３４   ストッパ
４１   第１固定部
４２   第２固定部
４３   ブラケット
４４   保持部
４５   保持部
４６   ガイド部
４７   ガイド部
４８   動作補助部材
１２１ 脚部本体
１２２ アジャスタ
４１１ 操作部
【図１】
0006535913.tif 000002
【図２】
0006535913.tif 000003
【図３】
0006535913.tif 000004
【図４】
0006535913.tif 000005
【図５】
0006535913.tif 000006
【図６】
0006535913.tif 000007
【図７】
0006535913.tif 000008
【図８】
0006535913.tif 000009
【図９】
0006535913.tif 000010
【図１０】
0006535913.tif 000011
【図１１】
0006535913.tif 000012
【図１２】
0006535913.tif 000013
【図１３】
0006535913.tif 000014
【図１４】
0006535913.tif 000015